(57)【要約】【課題】簡潔な構成を採用しつつ、まぶたの同じ位置に容易に筋付けを行うことのできる二重まぶた形成用具、及びその二重まぶた形成用具を用いた二重まぶた形成方法を提供する。【解決手段】二重まぶた形成用具１０は、まぶたを押し込むことが可能な円盤２５を有して円盤２５から延びる回転脚２０と、球状部３２を有して球状部３２から延びる支持脚３０とを備える。二重まぶた形成用具１０は、回転脚２０の延びる方向と支持脚３０の延びる方向とが所定角度αをなすように、回転脚２０において円盤２５から離れた部分と支持脚３０において球状部３２から離れた部分とを連結する本体１１を備える。【選択図】      図１
2011161248.tif 000002
【特許請求の範囲】
【請求項１】
まぶたを押し込むことが可能な押込部を有して前記押込部から延びる第１部材と、
先端部を有して前記先端部から延びる第２部材と、
前記第１部材の延びる方向と前記第２部材の延びる方向とが所定角度をなすように、前記第１部材において前記押込部から離れた部分と前記第２部材において前記先端部から離れた部分とを連結する連結部と、
を備えることを特徴とする二重まぶた形成用具。
【請求項２】
まぶたを押し込むことが可能な押込部を有して棒状に延びる第１部材と、
先端部を有して棒状に延びる第２部材と、
前記第１部材の延びる方向と前記第２部材の延びる方向とが所定角度をなすように、前記第１部材において前記押込部から離れた側の端部と前記第２部材において前記先端部から離れた側の端部とを連結する連結部と、
を備えることを特徴とする二重まぶた形成用具。
【請求項３】
前記押込部は、円盤状に形成された円盤状部を有しており、
前記円盤状部は、その中心軸線を中心として回転可能に支持されており、前記円盤状部の円盤面が、前記第２部材の先端部に対向している請求項１又は２に記載の二重まぶた形成用具。
【請求項４】
前記円盤状部は、その外縁側ほど薄く形成されており、
前記円盤状部の円盤面は、その外縁部において表面側に凹の曲面をなしている請求項３に記載の二重まぶた形成用具。
【請求項５】
前記連結部は、前記所定角度を可変とする角度可変機構を有している請求項１〜４のいずれか１項に記載の二重まぶた形成用具。
【請求項６】
前記第１部材の中間部には、前記第１部材の押込部と前記第２部材の先端部との距離を可変とするように、前記第１部材を曲げ可能とする曲げ機構が設けられている請求項１〜５のいずれか１項に記載の二重まぶた形成用具。
【請求項７】
まぶたを押し込むことが可能な押込部を有する第１部材と、
先端部を有する第２部材と、
前記第１部材の押込部と前記第２部材の先端部とが所定距離だけ離れるように、前記第１部材と前記第２部材とを連結する連結部と、
を備えることを特徴とする二重まぶた形成用具。
【請求項８】
前記押込部は、円盤状に形成された円盤状部を有しており、
前記円盤状部は、その中心軸線を中心として回転可能に支持されており、前記円盤状部の円盤面が、前記第２部材の先端部に対向している請求項７に記載の二重まぶた形成用具。
【請求項９】
前記第２部材の先端部は球状に形成されている請求項１〜８のいずれか１項に記載の二重まぶた形成用具。
【請求項１０】
前記第２部材の先端部はゴムで形成されている請求項１〜９のいずれか１項に記載の二重まぶた形成用具。
【請求項１１】
請求項１〜１０のいずれか１項に記載の二重まぶた形成用具を用いた二重まぶた形成方法であって、
前記第１部材の押込部をまぶたに押し込む工程と、
前記第２部材の先端部を頬に押し当てる工程と、
前記第２部材の先端部を中心として、前記第１部材の押込部を回転させる工程と、
を備えることを特徴とする二重まぶた形成方法。
【請求項１２】
請求項５に記載の二重まぶた形成用具を用いた二重まぶた形成方法であって、
前記角度可変機構を操作して前記所定角度を変更する工程と、
前記第１部材の押込部をまぶたに押し込む工程と、
前記第２部材の先端部を頬に押し当てる工程と、
前記第２部材の先端部を中心として、前記第１部材の押込部を回転させる工程と、
を備えることを特徴とする二重まぶた形成方法。
【請求項１３】
請求項６に記載の二重まぶた形成用具を用いた二重まぶた形成方法であって、
前記曲げ機構を操作して、前記第１部材の押込部と前記第２部材の先端部との距離を変更する工程と、
前記第１部材の押込部をまぶたに押し込む工程と、
前記第２部材の先端部を頬に押し当てる工程と、
前記第２部材の先端部を中心として、前記第１部材の押込部を回転させる工程と、
を備えることを特徴とする二重まぶた形成方法。
【発明の詳細な説明】
【技術分野】
【０００１】
本発明は、二重まぶた形成用具、及びその二重まぶた形成用具を用いた二重まぶた形成方法に関する。
【背景技術】
【０００２】
従来、二重まぶた形成用具として、接着剤を塗布する柔軟構造の繊維芯などで目の輪郭に沿って、線を引くようにして二重まぶたを形成するものがある（例えば、特許文献１参照）。この特許文献１に記載のものは、内部に接着液を収納した液収納容器と、液収納容器から外部に突出する繊維芯とを備えている。そして、液収納容器を指でつかみ、繊維芯をまぶたの上皮に押し当て押し込んで、目の輪郭に沿って内側から外側へと移動させることで、二重まぶたを形成する。
【０００３】
また、駆動部によって進退駆動される筋付け片で間欠的にまぶたを押圧することにより、二重まぶたの筋付け（二重まぶたの形成）を行う二重まぶた形成用具がある（例えば、特許文献２参照）。この特許文献２に記載のものは、回転駆動される小型モータと、小型モータの回転運動を直線的な進退運動に変換するカム構造と、カム構造に連結されて直線的に進退運動するシャフトと、まぶたを押圧する湾曲した押圧面を有しシャフトに固定された筋付け片とを備えている。そして、小型モータの回転に基づいて筋付け片が進退運動させられ、筋付け片が間欠的にまぶたの所望位置を押圧することにより、二重まぶたの筋付けを行う。
【先行技術文献】
【特許文献】
【０００４】
【特許文献１】特開２００６−２５５３３３号公報
【特許文献２】特許第４５５３６２３号公報
【発明の概要】
【発明が解決しようとする課題】
【０００５】
ところで、特許文献１に記載のものでは、液収納容器を指でつかみ、繊維芯をまぶたの上皮に押し当てて、液収納容器と共に繊維芯を移動させる。このため、連続して複数回二重まぶたの筋付けを行う際や、期間をおいて再度二重まぶたの筋付けを行う際に、まぶたの同じ位置に繊維芯を押し当てることが難しい。
【０００６】
また、特許文献２に記載のものでは、小型モータの回転に基づいて筋付け片が進退運動させられ、筋付け片が間欠的にまぶたの所望位置を押圧する。このため、最初にまぶたに対する筋付け片の位置を決めれば、同じ位置に繰り返して二重まぶたの筋付けを行うことができる。しかしながら、特許文献２に記載のものは、小型モータや、カム構造、進退運動するシャフト等を備えているため、その構成が複雑になることが避けられない。
【０００７】
本発明は、こうした実情に鑑みてなされたものであり、簡潔な構成を採用しつつ、まぶたの同じ位置に容易に筋付けを行うことのできる二重まぶた形成用具、及びその二重まぶた形成用具を用いた二重まぶた形成方法を提供することを主たる目的とするものである。
【課題を解決するための手段】
【０００８】
本発明は、上記課題を解決するために、以下の手段を採用した。
【０００９】
第１の発明は、二重まぶた形成用具であって、まぶたを押し込むことが可能な押込部を有して前記押込部から延びる第１部材と、先端部を有して前記先端部から延びる第２部材と、前記第１部材の延びる方向と前記第２部材の延びる方向とが所定角度をなすように、前記第１部材において前記押込部から離れた部分と前記第２部材において前記先端部から離れた部分とを連結する連結部と、を備えることを特徴とする。
【００１０】
上記構成によれば、第１部材は、まぶたを押し込むことが可能な押込部を有しており、押込部から延びている。第２部材は、先端部を有しており、先端部から延びている。そして、第１部材の延びる方向と第２部材の延びる方向とが所定角度をなすように、連結部により、第１部材において押込部から離れた部分と第２部材において先端部から離れた部分とが連結されている。
【００１１】
このため、第２部材の先端部を中心として、第２部材に連結部により連結された第１部材を回転させることにより、第１部材の押込部が円弧状の軌跡を描くように移動する。したがって、第２部材の先端部を頬に押し当てて、まぶたの筋付けをする位置に第１部材の押込部を押し込み、第２部材の先端部を中心として押込部を回転させることにより、まぶたに円弧状に筋付けを行うことができる。すなわち、二重まぶた形成用具をコンパスのように回転させることにより、円弧状に二重まぶたの筋付けを行うことができる。その結果、押込部を有する第１部材と先端部を有する第２部材とを連結部により連結した簡潔な構成により、二重まぶた形成用具を実現することができる。
【００１２】
さらに、第２部材の先端部を中心として押込部を回転させるため、連続して複数回二重まぶたの筋付けを行う際や、期間をおいて再度二重まぶたの筋付けを行う際に、押込部が同じ円弧状の軌跡を描いて移動することとなる。その結果、押込部が移動する際に描く軌跡が一定となるため、まぶたの同じ位置に容易に筋付けを行うことができる。
【００１３】
なお、まぶたを押し込むことが可能な押込部としては、例えば所定太さよりも細い棒状部を備える構成や、所定厚さよりも薄い板状部を備える構成等を採用することができる。
【００１４】
具体的には、第２の発明にように、二重まぶた形成用具であって、まぶたを押し込むことが可能な押込部を有して棒状に延びる第１部材と、先端部を有して棒状に延びる第２部材と、前記第１部材の延びる方向と前記第２部材の延びる方向とが所定角度をなすように、前記第１部材において前記押込部から離れた側の端部と前記第２部材において前記先端部から離れた側の端部とを連結する連結部と、を備えるといった構成を採用することができる。
【００１５】
第３の発明では、前記押込部は、円盤状に形成された円盤状部を有しており、前記円盤状部は、その中心軸線を中心として回転可能に支持されており、前記円盤状部の円盤面が、前記第２部材の先端部に対向している。
【００１６】
上記構成によれば、まぶたを押し込むことが可能な押込部は、円盤状に形成された円盤状部を有している。円盤状部は、その中心軸線を中心として回転可能に支持されているため、円盤状部の外縁部をまぶたに押し当てながら移動させることにより、円盤状部を回転させることができる。また、円盤状部の円盤面は第２部材の先端部に対向しているため、円盤状部の移動方向と円盤状部の転がる方向とを一致させることができる。
【００１７】
したがって、まぶたの筋付けをする位置に円盤状部の外縁部を押し込み、第２部材の先端部を中心として、円盤状部が円弧状の軌跡を描くように移動させることにより、その軌跡に沿って円盤状部を転がしながらまぶたに筋付けを行うことができる。その結果、まぶたが押込部により擦られることを抑制することができるため、まぶたの負担を軽減することができる。
【００１８】
第４の発明では、前記円盤状部は、その外縁側ほど薄く形成されており、前記円盤状部の円盤面は、その外縁部において表面側に凹の曲面をなしている。
【００１９】
上記構成によれば、円盤状部の厚みがその外縁側ほど薄く、且つ外縁部では中心側に向かって緩やかに厚くなるようにすることができる。したがって、円盤状部の外縁部をまぶたに押し込み易くなり、二重まぶたの筋付けを行うことが容易となる。
【００２０】
第５の発明では、前記連結部は、前記所定角度を可変とする角度可変機構を有している。
【００２１】
上記構成によれば、連結部は、第１部材の延びる方向と第２部材の延びる方向とがなす所定角度を可変とする角度可変機構を有している。このため、角度可変機構を操作することにより、第１部材の延びる方向と第２部材の延びる方向とがなす所定角度、ひいては第１部材の押込部と第２部材の先端部との距離を変更することができる。したがって、第２部材の先端部を中心として第１部材の押込部を回転させる際の半径、ひいては押込部が描く軌跡を変更することができる。その結果、使用者の目の形状や大きさに合わせて、まぶたの適切な位置に筋付けを行うことができる。
【００２２】
第６の発明では、前記第１部材の中間部には、前記第１部材の押込部と前記第２部材の先端部との距離を可変とするように、前記第１部材を曲げ可能とする曲げ機構が設けられている。
【００２３】
上記構成によれば、第１部材の中間部に設けられた曲げ機構を操作して第１部材を曲げることにより、第１部材の押込部と第２部材の先端部との距離を変更することができる。こうした構成によっても、第２部材の先端部を中心として第１部材の押込部を回転させる際の半径、ひいては押込部が描く軌跡を変更することができる。
【００２４】
第７の発明は、二重まぶた形成用具であって、まぶたを押し込むことが可能な押込部を有する第１部材と、先端部を有する第２部材と、前記第１部材の押込部と前記第２部材の先端部とが所定距離だけ離れるように、前記第１部材と前記第２部材とを連結する連結部と、を備えることを特徴とする。
【００２５】
上記構成によれば、第１部材は、まぶたを押し込むことが可能な押込部を有しており、第２部材は、先端部を有している。そして、第１部材の押込部と第２部材の先端部とが所定距離だけ離れるように、連結部により、第１部材と第２部材とが連結されている。
【００２６】
このため、第２部材の先端部を中心として、第２部材に連結部により連結された第１部材を回転させることにより、第１部材の押込部が円弧状の軌跡を描くように移動する。したがって、第２部材の先端部を頬に押し当てて、まぶたの筋付けをする位置に第１部材の押込部を押し込み、第２部材の先端部を中心として押込部を回転させることにより、まぶたに円弧状に筋付けを行うことができる。その結果、押込部を有する第１部材と先端部を有する第２部材とを連結部により連結した簡潔な構成により、二重まぶた形成用具を実現することができる。
【００２７】
さらに、第２部材の先端部を中心として押込部を回転させるため、連続して複数回二重まぶたの筋付けを行う際や、期間をおいて再度二重まぶたの筋付けを行う際に、押込部が同じ円弧状の軌跡を描いて移動することとなる。その結果、押込部が移動する際に描く軌跡が一定となるため、まぶたの同じ位置に容易に筋付けを行うことができる。
【００２８】
第８の発明では、前記押込部は、円盤状に形成された円盤状部を有しており、前記円盤状部は、その中心軸線を中心として回転可能に支持されており、前記円盤状部の円盤面が、前記第２部材の先端部に対向している。
【００２９】
上記構成によれば、第３の発明と同様の作用効果を奏することができる。
【００３０】
第９の発明では、前記第２部材の先端部は球状に形成されているため、頬に対する第２部材の角度にかかわらず、第２部材の先端部と頬との接触面積を一定にすることができる。このため、第２部材の先端部を中心として、第１部材の押込部を回転させる際に、第２部材の先端部による支持を安定させることができる。さらに、第２部材の先端部が尖っている場合と比較して、頬の痛みを軽減することができる。
【００３１】
第１０の発明では、第２部材の先端部はゴムで形成されているため、第２部材の先端部と頬との滑りを抑制することができる。このため、第２部材の先端部を中心として、第１部材の押込部を回転させる際に、第２部材の先端部がずれることを抑制することができる。その結果、まぶたの同じ位置に、より正確に筋付けを行うことができる。
【００３２】
第１１の発明は、第１〜第１０のいずれかの発明の二重まぶた形成用具を用いた二重まぶた形成方法であって、前記第１部材の押込部をまぶたに押し込む工程と、前記第２部材の先端部を頬に押し当てる工程と、前記第２部材の先端部を中心として、前記第１部材の押込部を回転させる工程と、を備えることを特徴とする。
【００３３】
上記工程によれば、第１部材の押込部がまぶたに押し込まれ、第２部材の先端部が頬に押し当てられる。そして、第２部材の先端部を中心として、第１部材の押込部が回転させられるため、まぶたに円弧状に筋付けを行うことができる。その結果、連続して複数回二重まぶたの筋付けを行う際や、期間をおいて再度二重まぶたの筋付けを行う際に、押込部が同じ円弧状の軌跡を描いて移動するため、まぶたの同じ位置に容易に筋付けを行うことができる。
【００３４】
第１２の発明は、第５の発明の二重まぶた形成用具を用いた二重まぶた形成方法であって、前記角度可変機構を操作して前記所定角度を変更する工程と、前記第１部材の押込部をまぶたに押し込む工程と、前記第２部材の先端部を頬に押し当てる工程と、前記第２部材の先端部を中心として、前記第１部材の押込部を回転させる工程と、を備えることを特徴とする。
【００３５】
上記工程によれば、角度可変機構が操作され、第１部材の延びる方向と第２部材の延びる方向とがなす所定角度、ひいては第１部材の押込部と第２部材の先端部との距離が変更される。したがって、第２部材の先端部を中心として第１部材の押込部を回転させる際の半径、ひいては押込部が描く軌跡を変更することができる。その結果、使用者の目の形状や大きさに合わせて、まぶたの適切な位置に筋付けを行うことができる。
【００３６】
第１３の発明は、第６の発明の二重まぶた形成用具を用いた二重まぶた形成方法であって、前記曲げ機構を操作して、前記第１部材の押込部と前記第２部材の先端部との距離を変更する工程と、前記第１部材の押込部をまぶたに押し込む工程と、前記第２部材の先端部を頬に押し当てる工程と、前記第２部材の先端部を中心として、前記第１部材の押込部を回転させる工程と、を備えることを特徴とする。
【００３７】
上記工程によれば、第１部材の中間部に設けられた曲げ機構が操作されて第１部材が曲げられ、第１部材の押込部と第２部材の先端部との距離が変更される。こうした工程によっても、第２部材の先端部を中心として第１部材の押込部を回転させる際の半径、ひいては押込部が描く軌跡を変更することができる。
【図面の簡単な説明】
【００３８】
【図１】二重まぶた形成用具を示す斜視図。
【図２】二重まぶた形成用具を示す側面図。
【図３】二重まぶた形成用具の使用態様を示す側面図。
【図４】二重まぶた形成用具の使用態様を示す正面図。
【図５】押込部の変形例を示す側面図。
【図６】押込部の他の変形例を示す側面図。
【図７】押込部の他の変形例を示す側面図。
【図８】押込部の他の変形例を示す斜視図。
【図９】押込部の他の変形例を示す斜視図。
【図１０】押込部の他の変形例を示す斜視図。
【図１１】押込部の他の変形例を示す斜視図。
【図１２】支持脚の先端部の変形例を示す側面図。
【図１３】支持脚の先端部の他の変形例を示す側面図。
【図１４】角度可変機構を示す側面図。
【図１５】曲げ機構を示す側面図。
【図１６】本体の変形例を示す斜視図。
【図１７】二重まぶた形成用具の変形例を示す側面図。
【図１８】二重まぶた形成用具の他の変形例を示す側面図。
【図１９】二重まぶた形成用具の他の変形例を示す側面図。
【図２０】二重まぶた形成用具の他の変形例を示す側面図。
【発明を実施するための形態】
【００３９】
以下、二重まぶた形成用具を具体化した一実施形態について、図１〜４を参照して説明する。
【００４０】
図１は、二重まぶた形成用具を示す斜視図である。同図に示すように、二重まぶた形成用具１０は、本体１１、回転脚２０、及び支持脚３０を備えている。
【００４１】
本体１１は、合成樹脂によって、四角柱状に形成されている。なお、本体１１は、合成樹脂に限らず、木材や、金属などで形成することもできる。
【００４２】
本体１１の上面（長手方向に延びる側面のうち大きい方の側面）には、第１凹部１２が設けられている。第１凹部１２は、本体１１の上面の幅よりも若干狭い幅で、本体１１の長手方向に延びている。第１凹部１２は、人差し指の第１関節よりも先の部分における腹側の面積と略等しい面積に形成されており、人差し指の腹側の部分を一部嵌めることができる深さに形成されている。
【００４３】
本体１１の両側面（長手方向に延びる側面のうち小さい方の側面）には、円形状の第２凹部１３が設けられている。第２凹部１３は、本体１１の両側面において、長手方向の略中央に設けられている。第２凹部１３は、親指及び中指の先端の一部を嵌めることのできる寸法に形成されている。
【００４４】
こうした構成によれば、人差し指、親指、及び中指で本体１１を摘んで、二重まぶた形成用具１０を支持することができる。そして、上記第１凹部１２及び第２凹部１３によって、本体１１を摘む指がずれることを抑制することができる。
【００４５】
回転脚２０（第１部材）は、合成樹脂によって、棒状に延びるように形成されている。回転脚２０は、棒状に延びる第１棒状部２１、第１棒状部２１の端部で二股に分かれた二股部２２、及び円盤２５を備えている。なお、回転脚２０は、合成樹脂に限らず、木材や、金属などで形成することもできる。
【００４６】
第１棒状部２１は、所定径を有する円柱状に形成されており、所定長さを有している。例えば、上記所定径は３〜７ｍｍ程度に設定されており、上記所定長さは１５〜３０ｍｍ程度に設定されている。なお、第１棒状部２１の断面形状は任意であり、その太さや長さは、二重まぶたの筋付けに適するように設定されている。
【００４７】
図２を併せて参照しつつ、これらについて説明する。二股部２２の隙間は、円盤２５の厚さと略等しくなっており、二股部２２の隙間に円盤２５が径方向から挿入されている。円盤２５の径は、円盤２５を径方向からまぶたに適切な長さ押し込むことのできる大きさ、例えば１０〜３０ｍｍに設定されている。円盤状部としての円盤２５（押込部）は、二股部２２によって、円盤２５の中心軸線を中心として回転可能に支持されている。
【００４８】
円盤２５は、その外縁側ほど薄く形成されている。円盤２５の外縁部２５ｂの厚さは、まぶたを押し込むことのできる厚さに設定されている。例えば、外縁部２５ｂの厚さは、０．５〜２ｍｍ程度に設定されている。外縁部２５ｂにおいて、円盤面２５ａは表面側に凹の曲面をなしている。すなわち、外縁部２５ｂにおいて、円盤面２５ａは厚さ方向の内側に凸の曲面をなしている。
【００４９】
第１棒状部２１において、二股部２２と反対側の端部２１ａ（円盤２５から離れた側の端部２１ａ）は、上記本体１１の長手方向の端部に固定されている。すなわち、回転脚２０の長手方向と本体１１の長手方向とが略一致している。
【００５０】
支持脚３０（第２部材）は、棒状に延びており、合成樹脂によって形成された棒状の第２棒状部３１、及びゴムによって形成された球状の球状部３２を備えている。なお、第２棒状部３１は、合成樹脂に限らず、木材や、金属などで形成することもできる。
【００５１】
第２棒状部３１は、所定径を有する円柱状に形成されており、所定長さを有している。第２棒状部３１は、上記第１棒状部２１と略等しい長さで、第１棒状部よりも若干細く形成されている。なお、第２棒状部３１の断面形状は任意であり、その太さや長さは、二重まぶたの筋付けに適するように設定されている。
【００５２】
第２棒状部３１の端部には、球状部３２が取り付けられている。球状部３２（先端部）の径は、第２棒状部３１の径よりも大きくなっている。
【００５３】
第２棒状部３１において、球状部３２と反対側の端部３１ａ（球状部３２から離れた側の端部３１ａ）は、上記本体１１の長手方向の端部、すなわち上記第１棒状部２１の固定された上記端部に固定されている。
【００５４】
上記第１棒状部２１と第２棒状部３１とは、それらの挟角が所定角度αをなすように本体１１（連結部）によって連結されている。すなわち、回転脚２０の延びる方向と支持脚３０の延びる方向とが、所定角度αをなしている。この状態において、円盤２５の円盤面２５ａは、支持脚３０の球状部３２に対向している。この所定角度αは、上記のように構成された回転脚２０及び支持脚３０において、二重まぶたの筋付けに適するように設定されている。
【００５５】
ここで、回転脚２０の円盤２５と支持脚３０の球状部３２とは、所定距離ｒだけ離れている。この所定距離ｒは、支持脚３０の球状部３２を中心として回転脚２０を回転させた際に、円盤２５の外縁部２５ｂが、適切な二重まぶたの円弧（軌跡）を描くように設定されている。例えば、所定距離ｒは、２５〜４５ｍｍ程度に設定されている。また、所定距離ｒがこのような長さとなるように、上記所定角度αが設定されている。
【００５６】
次に、図３，４を参照して、二重まぶた形成用具１０を使用した二重まぶた形成方法について説明する。図３は、二重まぶた形成用具１０の使用態様を示す側面図であり、図４は、二重まぶた形成用具１０の使用態様を示す正面図である。
【００５７】
図示は省略するが、まず、本体１１の第１凹部１２に人差し指の第１関節よりも先の部分の腹側を当て、第２凹部１３にそれぞれ親指の先端と中指の先端とを当てる。そして、本体１１の上面及び両側面を摘むようにして、二重まぶた形成用具１０を持つ。このとき、第１凹部１２に人差し指の腹側の部分の一部が嵌まり、第２凹部１３にそれぞれ親指の先端の一部及び中指の先端の一部が嵌まるため、本体１１とこれらの指とがずれることが抑制される。したがって、手の動きが、二重まぶた形成用具１０へ正確に伝えられる。
【００５８】
続いて、形成する二重まぶたの幅を決めて、回転脚２０の円盤２５の外縁部２５ｂをまぶたに押し込む。ここで、外縁部２５ｂは、その外縁側ほど薄く形成されており、外縁部２５ｂにおいて、円盤面２５ａは表面側に凹の曲面をなしている。このため、円盤２５の厚みは、外縁部２５ｂでは中心側に向かって緩やかに厚くなっており、外縁部２５ｂがまぶたに容易に押し込まれる。さらに、円盤２５の外縁部２５ｂは、周方向のある程度の長さにわたってまぶたに押し込まれるため、棒状の尖った部材をまぶたに押し込む場合と比較して、まぶたの戻りが少なくなり効果的に筋付けが行われる。
【００５９】
続いて、支持脚３０の球状部３２を頬に押し当てる。ここで、支持脚３０の先端には球状部３２が設けられているため、頬に対する支持脚３０の角度にかかわらず、球状部３２と頬との接触面積が一定となる。また、球状部３２の径は、第２棒状部３１の径よりも大きくなっているため、単に第２棒状部３１の先端を丸くした場合と比較して、頬に加わる圧力が軽減される。なお、回転脚２０の円盤２５の外縁部２５ｂをまぶたに押し込む工程と、支持脚３０の球状部３２を頬に押し当てる工程とは、順序を入れ替えることもできる。
【００６０】
続いて、人差し指、親指、及び中指で本体１１をひねるように動かすことにより、支持脚３０により支持された回転脚２０を回転させる。このとき、球状部３２を中心として、円盤２５が円弧状の軌跡を描くように移動する（図４の二点鎖線参照）。したがって、二重まぶた形成用具１０をコンパスのように回転させることにより、まぶたに円弧状の筋が付けられる。ここで、球状部３２は、ゴムで形成されているため、球状部３２と頬との滑りが抑制される。このため、球状部３２を中心として、回転脚２０を回転させる際に、支持脚３０による支持が安定する。
【００６１】
また、円盤２５は、その中心軸線を中心として回転可能に支持されているため、円盤２５の外縁部２５ｂをまぶたに押し当てながら移動させることにより、円盤２５が回転させられる。そして、円盤２５の円盤面２５ａは球状部３２に対向しているため、円盤２５の移動方向と円盤２５の転がる方向とが一致している。したがって、円盤２５が円弧状の軌跡を描くように移動させることにより、その軌跡に沿って円盤２５が転がりながらまぶたに筋付けが行われる。
【００６２】
そして、まぶたに効果的に筋付けを行うためには、球状部３２を中心とした円盤２５の移動を複数回繰り返す。このとき、円盤２５は、球状部３２を中心として、毎回同じ半径の円弧（毎回同じ軌跡）を描いて移動する。その結果、円盤２５が移動する際に描く軌跡が一定となり、まぶたの同じ位置に筋付けが行われる。さらに、球状部３２と頬との滑りが抑制されているため、円盤２５が描く軌跡がより安定する。
【００６３】
以上詳述した本実施形態は以下の利点を有する。
【００６４】
・支持脚３０の球状部３２を中心として、支持脚３０に本体１１により連結された回転脚２０を回転させることにより、回転脚２０の円盤２５が円弧状の軌跡を描くように移動する。したがって、支持脚３０の球状部３２を頬に押し当てて、まぶたの筋付けをする位置に回転脚２０の円盤２５を押し込み、支持脚３０の球状部３２を中心として円盤２５を円弧に沿って移動させることにより、まぶたに円弧状に筋付けを行うことができる。すなわち、二重まぶた形成用具１０をコンパスのように回転させることにより、円弧状に二重まぶたの筋付けを行うことができる。その結果、円盤２５を有する回転脚２０と球状部３２を有する支持脚３０とを本体１１により連結した簡潔な構成により、二重まぶた形成用具１０を実現することができる。
【００６５】
・支持脚３０の球状部３２を中心として、円盤２５を円弧に沿って移動させるため、連続して複数回二重まぶたの筋付けを行う際や、期間をおいて再度二重まぶたの筋付けを行う際に、円盤２５が同じ円弧状の軌跡を描いて移動することとなる。その結果、円盤２５が移動する際に描く軌跡が一定となるため、まぶたの同じ位置に容易に筋付けを行うことができる。
【００６６】
・まぶたを押し込むことが可能な押込部として円盤２５を有している。円盤２５は、その中心軸線を中心として回転可能に支持されているため、円盤２５の外縁部２５ｂをまぶたに押し当てながら移動させることにより、円盤２５を回転させることができる。また、円盤２５の円盤面２５ａは支持脚３０の球状部３２に対向しているため、円盤２５の移動方向と円盤２５の転がる方向とを一致させることができる。
【００６７】
したがって、まぶたの筋付けをする位置に円盤２５の外縁部２５ｂを押し込み、支持脚３０の球状部３２を中心として、円盤２５が円弧状の軌跡を描くように移動させることにより、その軌跡に沿って円盤２５を転がしながらまぶたに筋付けを行うことができる。その結果、まぶたが円盤２５により擦られることを抑制することができるため、まぶたの負担を軽減することができる。さらに、まぶたの負担が軽減されるため、円盤２５の外縁部２５ｂをより強くまぶたに押し当てることが可能となり、二重まぶたの筋付けを効果的に行うことができる。
【００６８】
・円盤２５は、その外縁側ほど薄く形成されており、円盤２５の円盤面２５ａにおける外縁部２５ｂは、表面側に凹の曲面をなしている。このため、円盤２５の厚みは、その外縁側ほど薄く、且つ外縁部２５ｂでは中心側に向かって緩やかに厚くなる。したがって、円盤２５の外縁部２５ｂをまぶたに押し込み易くなり、二重まぶたの筋付けを行うことが容易となる。
【００６９】
・支持脚３０の先端には球状部３２が設けられているため、頬に対する支持脚３０の角度にかかわらず、支持脚３０の球状部３２と頬との接触面積を一定にすることができる。このため、支持脚３０の球状部３２を中心として、回転脚２０の円盤２５を円弧に沿って移動させる際に、支持脚３０の球状部３２による支持を安定させることができる。さらに、支持脚３０の先端部が尖っている場合と比較して、頬の痛みを軽減することができる。
【００７０】
・支持脚３０の球状部３２はゴムで形成されているため、支持脚３０の球状部３２と頬との滑りを抑制することができる。このため、支持脚３０の球状部３２を中心として、回転脚２０の円盤２５を円弧に沿って移動させる際に、支持脚３０の球状部３２がずれることを抑制することができる。その結果、まぶたの同じ位置に、より正確に筋付けを行うことができる。
【００７１】
上記実施形態を、以下のように変形して実施することもできる。なお、上記実施形態と同一の部材については、同一の符号を付すことにより説明を省略する。
【００７２】
・まぶたを押し込むことが可能な押込部として、図５に示す円盤１２５を採用することもできる。円盤１２５は、その外縁側ほど薄く形成されており、その厚みが外縁側に向かって一定の比率で薄くなっている。円盤１２５のその他の構成は、上述した円盤２５と同様である。
【００７３】
・まぶたを押し込むことが可能な押込部として、図６に示す円盤２２５を採用することもできる。円盤２２５は、その厚さが一定となっており、中心部に回転軸２２５ａを有している。そして、回転軸２２５ａが、二股部２２によって回転可能に支持されている。この場合、円盤２２５の厚さは、０．５〜２ｍｍ程度に設定されている。
【００７４】
・まぶたを押し込むことが可能な押込部として、図７に示す回転体３２５（ローラ）を採用することもできる。回転体３２５は、円柱部３２５ａと円盤状部３２５ｂとを備えている。円盤状部３２５ｂは、上述した円盤２５の外縁部２５ｂと略等しい形状及び寸法を有している。そして、回転体３２５は、二股部２２によって、回転体３２５の中心軸線を中心として回転可能に支持されている。
【００７５】
・まぶたを押し込むことが可能な押込部として、図８に示す円盤４２５を採用することもできる。円盤４２５は、上述した円盤２５において、外縁部に複数の突起４２５ｂが設けられた構成である。突起４２５ｂは、円盤４２５の外縁部において、円盤４２５の外周側へ突出するように設けられている。突起４２５ｂは、円盤４２５の全周にわたって所定の間隔で設けられている。こうした構成によれば、円盤４２５の突起４２５ｂによって、まぶたが所定の間隔で点状に押し込まれる。このため、まぶたに接着液を塗った場合に、円盤４２５に付着する接着液の量を、円盤２５に付着する接着液の量よりも減少させることができる。なお、円盤２５を採用した場合であっても、まぶたに接着液を塗って二重まぶた形成用具１０を使用してもよい。
【００７６】
・まぶたを押し込むことが可能な押込部として、図９に示す針状部４５を採用することもできる。第１棒状部２１の先端には、取り付け部４２が設けられており、取り付け部４２に針状部４５が取り付けられている。針状部４５は、合成樹脂で形成されており、第１棒状部２１の延びる方向に沿って延びている。針状部４５は、先端側ほど細く形成されており、その先端部が丸くされている。針状部４５の太さは、上述した円盤２５の外縁部２５ｂの厚さと同程度に設定されている。なお、針状部４５は、合成樹脂に限らず、木材や、金属などで形成することもできる。
【００７７】
こうした構成によっても、支持脚３０の球状部３２を中心として、回転脚２０を回転させることにより、回転脚２０の針状部４５が円弧状の軌跡を描くように移動する。したがって、まぶたの筋付けをする位置に回転脚２０の針状部４５を押し込み、支持脚３０の球状部３２を中心として針状部４５を円弧に沿って移動させることにより、まぶたに円弧状に筋付けを行うことができる。その結果、針状部４５を有する回転脚２０と球状部３２を有する支持脚３０とを本体１１により連結した簡潔な構成により、二重まぶた形成用具１０を実現することができる。さらに、針状部４５が移動する際に描く軌跡が一定となるため、まぶたの同じ位置に容易に筋付けを行うことができる。
【００７８】
また、図１０に示すように、回転脚２０が複数の針状部４５を備えるようにすることもできる。この場合、複数の針状部４５は、支持脚３０の球状部３２から等距離となるように、取り付け部４２に取り付けられている。こうした構成によれば、球状部３２を中心として回転脚２０を回転させることにより、複数の針状部４５によってまぶたの同じ位置が連続的に押し込まれる。このため、二重まぶたの筋付けをより効果的に行うことができる。
【００７９】
・まぶたを押し込むことが可能な押込部として、図１１に示す板状部５５を採用することもできる。第１棒状部２１の先端には、取り付け部４２が設けられており、取り付け部４２に板状部５５が取り付けられている。板状部５５は、合成樹脂で形成されており、第１棒状部２１の延びる方向に沿って延びている。板状部５５は、所定の厚さで形成されており、その角部が丸くされている。板状部５５の厚さは、上述した円盤２５の外縁部２５ｂの厚さと同程度に設定されている。板状部５５の板面は支持脚３０の球状部３２に対向している。なお、板状部５５は、合成樹脂に限らず、木材や、金属などで形成することもできる。
【００８０】
こうした構成によっても、上記針状部４５に準じた作用効果を奏することができる。さらに、まぶたに押し込まれる板状部５５の先端部は、ある程度の幅を有しているため、針状部４５をまぶたに押し込む場合と比較して、まぶたの戻りが少なくなり効果的に筋付けを行うことができる。
【００８１】
・支持脚３０の先端部として、図１２に示す円柱状部１３２を採用することもできる。円柱状部１３２は、第２棒状部３１の径よりも大きい径の円柱状に形成されており、その先端側の角部が丸くされている。円柱状部１３２は、第２棒状部３１に同軸状に取り付けられている。こうした構成によっても、支持脚３０の先端部が尖っている場合と比較して、頬の痛みを軽減することができる。円柱状部１３２と頬との滑りを抑制するためには、円柱状部１３２をゴムで形成することが望ましい。
【００８２】
・支持脚３０の先端部として、図１３に示す半球状部２３２を採用することもできる。半球状部２３２は、第２棒状部３１の先端部を丸くすることにより、第２棒状部３１の径と等しい径の半球状に形成されている。こうした構成によっても、上述した球状部３２に準じた作用効果を奏することができる。半球状部２３２と頬との滑りを抑制するためには、半球状部２３２を第２棒状部３１と別体にしてゴムで形成するか、半球状部２３２の外周面にゴムのコーティングを行うことが望ましい。
【００８３】
・図１４に示すように、第１棒状部２１と第２棒状部３１とがなす角度βを可変とするように、第１棒状部２１と第２棒状部３１とを連結してもよい。本体１１の内部には、第１棒状部２１の延びる方向と第２棒状部３１の延びる方向とがなす角度βを可変とする角度可変機構６０が設けられている。角度可変機構６０として、例えば第１棒状部２１の端部２１ａと第２棒状部３１の端部３１ａとを、相対回転可能に軸支した構成を採用することができる。
【００８４】
こうした構成によれば、角度可変機構６０を操作することにより、回転脚２０の延びる方向と支持脚３０の延びる方向とがなす角度β、ひいては回転脚２０の円盤２５と支持脚３０の球状部３２との距離Ｌを変更することができる。したがって、支持脚３０の球状部３２を中心として回転脚２０の円盤２５を円弧に沿って移動させる際の半径、ひいては円盤２５が描く軌跡を変更することができる。その結果、使用者の目の形状や大きさに合わせて、まぶたの適切な位置に筋付けを行うことができる。
【００８５】
・図１５に示すように、回転脚２０の中間部に、回転脚２０の円盤２５と支持脚３０の球状部３２との距離Ｌを可変とするように、回転脚２０を曲げ可能とする曲げ機構７０を設けてもよい。曲げ機構７０として、例えば第１棒状部２１と二股部２２とを、相対回転可能に軸支した構成を採用することができる。
【００８６】
こうした構成によれば、曲げ機構７０を操作して回転脚２０を曲げることにより、回転脚２０の円盤２５と支持脚３０の球状部３２との距離Ｌを変更することができる。こうした構成によっても、支持脚３０の球状部３２を中心として回転脚２０の円盤２５を円弧に沿って移動させる際の半径、ひいては円盤２５が描く軌跡を変更することができる。なお、二重まぶた形成用具１０が、上述した角度可変機構６０及び曲げ機構７０の双方を備えるようにすることもできる。
【００８７】
・図１６に示すように、上述した凹部１２，１３を備えていない四角柱状の本体１１１を採用することもできる。本体１１１（連結部）は、第１棒状部２１と第２棒状部３１との挟角が所定角度αをなすように、第１棒状部２１と第２棒状部３１と連結している。また、本体として、その他の柱状形状や、錐状形状、球状形状等を採用することもできる。
【００８８】
・図１７に示すように、第１棒状部２１と第２棒状部３１との連結部２１１に、摘み２１１ａを設けてもよい。摘み２１１ａは、所定角度αの二等分線に沿って延びるように設けられている。摘み２１１ａは、円柱状に形成されており、その外周面に複数の溝が軸線方向に延びるように設けられている。こうした構成によれば、摘み２１１ａを指で摘んで、球状部３２を中心として回転脚２０を容易に回転させることができる。このとき、摘み２１１ａの外周に設けられた複数の溝により、摘み２１１ａと指とが滑ることを抑制することができる。
【００８９】
ここで、第１棒状部２１と第２棒状部３１とは一体に成形されている。すなわち、第１棒状部２１、連結部２１１、及び第２棒状部３１は、一体の曲がった棒状に形成されている。なお、図１８に示すように、摘み２１１ａを省略することもできる。これらの構成によれば、二重まぶた形成用具１１０の構成をより簡潔にすることができる。
【００９０】
・図１９に示すように、第１棒状部２１において円盤２５から離れた部分２１ｂと第２棒状部３１において球状部３２から離れた部分３１ｂとを、第３棒状部３１１（連結部）により連結した構成を採用することもできる。ここで、第１棒状部２１（回転脚２０）の延びる方向と、第２棒状部３１（支持脚３０）の延びる方向とは、上述した所定角度αをなしている。こうした構成によっても、支持脚３０の球状部３２を中心として、回転脚２０を回転させることにより、回転脚２０の円盤２５が円弧状の軌跡を描くように移動する。したがって、円盤２５を有する回転脚２０と球状部３２を有する支持脚３０とを第３棒状部３１１により連結した簡潔な構成により、二重まぶた形成用具２１０を実現することができる。
【００９１】
・図２０に示すように、回転脚１２０と、支持脚１３０と、連結部４１１と、を備える二重まぶた形成用具３１０を採用することもできる。回転脚１２０は、上述した第１棒状部２１を備えていない。そして、回転脚１２０の二股部２２と支持脚１３０の第２棒状部１３１とが、連結部４１１によって連結されている。この場合、回転脚１２０の延びる方向と支持脚１３０の延びる方向とがなす所定角度γは、上述した所定角度αとは異なっている。しかしながら、円盤２５と球状部３２との距離は、上述した所定距離ｒと等しくなっている。このため、支持脚１３０の球状部３２を中心として、回転脚１２０を回転させることにより、回転脚１２０の円盤２５が同一の円弧状の軌跡を描くように移動する。
【符号の説明】
【００９２】
１０，１１０，２１０，３１０…二重まぶた形成用具、１１，１１１…本体（連結部）、２０，１２０…回転脚（第１部材）、２５，１２５，２２５，４２５…円盤（円盤状部、押込部）、３０，１３０…支持脚(第２部材)、３２…球状部（先端部）、６０…角度可変機構、７０…曲げ機構、２１１，４１１…連結部、２３２…半球状部（先端部）、３２５ｂ…円盤状部（押込部）。
【図１】
2011161248.tif 000003
【図２】
2011161248.tif 000004
【図３】
2011161248.tif 000005
【図４】
2011161248.tif 000006
【図５】
2011161248.tif 000007
【図６】
2011161248.tif 000008
【図７】
2011161248.tif 000009
【図８】
2011161248.tif 000010
【図９】
2011161248.tif 000011
【図１０】
2011161248.tif 000012
【図１１】
2011161248.tif 000013
【図１２】
2011161248.tif 000014
【図１３】
2011161248.tif 000015
【図１４】
2011161248.tif 000016
【図１５】
2011161248.tif 000017
【図１６】
2011161248.tif 000018
【図１７】
2011161248.tif 000019
【図１８】
2011161248.tif 000020
【図１９】
2011161248.tif 000021
【図２０】
2011161248.tif 000022